(57)【要約】【課題】管轄するネットワークエリア内のＳＩＰ通信装置宛のＳＩＰメッセージをネットワークエリア外から受信し、前記ＳＩＰ通信装置がＳＩＰによるデータ通信を確立できない場合に、発呼側へ代替宛先情報を自動的に通知するＳＩＰプロキシサーバを提供すること。【解決手段】管轄するＬＡＮ２内のＳＩＰ通信装置４が新たなＳＩＰ通信を確立できる状態にあるか否かを判定する手段と、ＬＡＮ２内のＳＩＰ通信装置４に関連付けて代替宛先情報を記憶するテーブルＴと、ネットワークエリア２外からＳＩＰ通信装置４宛のＩＮＶＩＴＥを受信し（Ｔ１１）、ＳＩＰ通信装置４が新たなＳＩＰ通信を確立できない状態にあると判定した場合に、当該ＳＩＰ通信装置４に関連付けられた代替宛先情報Ｍ１をリダイレクトメッセージに記述して発呼側３０へ返信する（Ｔ１２）手段と、を備えるＳＩＰプロキシサーバ１。【選択図】図７
2006287798.tif 000002
【特許請求の範囲】
【請求項１】
管轄するネットワークエリア内のＳＩＰ通信装置が新たなＳＩＰ通信を確立できる状態にあるか否かを判定する判定手段と、前記ネットワークエリア内のＳＩＰ通信装置に関連付けて代替宛先情報を記憶する記憶手段と、前記ネットワークエリア外から前記ＳＩＰ通信装置宛の通信開始要求を受信し、前記判定手段が当該ＳＩＰ通信装置が新たなＳＩＰ通信を確立できない状態にあると判定した場合に、当該ＳＩＰ通信装置に関連付けられた代替宛先情報をＳＩＰメッセージに記述して発呼側へ返信する手段と、を備えることを特徴とするＳＩＰプロキシサーバ。
【請求項２】
前記判定手段は、前記ネットワークエリア外のＳＩＰ通信装置と前記ネットワークエリア内のＳＩＰ通信装置との間で確立されている通信数を監視し、前記通信数が所定値以上の場合に、前記ネットワークエリア内の当該ＳＩＰ通信装置が新たなＳＩＰ通信を確立できない状態にあると判定し、前記通信数が所定値未満の場合に、前記ネットワークエリア内の当該ＳＩＰ通信装置が新たなＳＩＰ通信を確立できない状態にあると判定するものであることを特徴とする請求項１記載のＳＩＰプロキシサーバ。
【請求項３】
前記記憶手段が記憶する代替宛先情報は、代替通信手段を示す情報と該手段による送信宛先情報からなり、
前記通信手段は、当該代替宛先情報が関連付けられているＳＩＰ通信装置が備えるＳＩＰ以外の通信手段であることを特徴とする請求項１又は２記載のＳＩＰプロキシサーバ。
【請求項４】
前記代替通信手段は、公衆交換電話網を通じて行うファクシミリ通信であることを特徴とする請求項３記載のＳＩＰプロキシサーバ。
【発明の詳細な説明】
【技術分野】
【０００１】
本発明は、ＳＩＰ（Session  Initiation  Protocol）プロキシサーバに関し、詳しくは、ＳＩＰプロキシサーバが管轄するネットワークエリア内のＳＩＰ通信装置宛のＳＩＰメッセージをネットワークエリア外から受信した場合に、当該ＳＩＰメッセージを前記ＳＩＰ通信装置に転送したり、前記ＳＩＰ通信装置に成り代わってＳＩＰメッセージを発呼側へ返信するＳＩＰプロキシサーバに関する。
【背景技術】
【０００２】
近年、ＳＩＰメッセージをやり取りしてメディアセッションを確立した上で、画像データ等のデータ通信を行う通信装置（以下「ＳＩＰ通信装置」という。）が提案されている（例えば、特許文献１乃至３を参照。）。ＳＩＰ通信装置間でのＳＩＰメッセージの転送は、ＳＩＰプロキシサーバ（例えば、特許文献１乃至３のＳＩＰサーバ）によって行われる。ＳＩＰ通信装置をＬＡＮに設置して、前記ＳＩＰプロキシサーバを、例えば特許文献４に開示されているようなリバースプロキシサーバ（２０１）のように、ＬＡＮを出入りするパケットを監視できる所に設置して、ＬＡＮ内外の通信についてアクセス制御を行うことができる。例えば、ＬＡＮ外からＬＡＮ内への不正なアクセスやＬＡＮ内からＬＡＮ外の特定のアドレスへのアクセスを禁止したり、ＬＡＮを出入りするパケットの転送優先度を制御することができる。
【０００３】
ところで、ＳＩＰ通信装置には、ＳＩＰによりメディアセッションを確立してデータ通信を行う機能のほか、さらに、Ｇ３ファクシミリ通信機能、ＳＭＴＰ通信機能などの通信手段を併せ持つものも提案されている（例えば、特許文献３の段落［００２３］、［００２４］参照。）。複数の通信手段を備えるＳＩＰ通信装置同士であれば、発呼側ＳＩＰ通信装置が発呼した時に被呼側ＳＩＰ通信装置が他の装置とデータ通信を行っている最中で、ＳＩＰによるデータ通信を更に確立させることが出来ない状態であっても、ＳＩＰ以外の通信手段によって画像データの送信を行うことができる。
【０００４】
また、相手先ユーザが複数のＳＩＰ通信装置を所有している場合は、発呼側ＳＩＰ通信装置が発呼した時に被呼側ＳＩＰ通信装置が他の装置とデータ通信を行っている最中で、ＳＩＰによるデータ通信を更に確立させることが出来ない状態であっても、相手先ユーザが所有する別のＳＩＰ通信装置が非通信状態であれば、当該別のＳＩＰ通信装置宛に画像データの送信を行うことで、相手先ユーザに画像データを送信することも可能である。
【０００５】
【特許文献１】特開２００４−１７２８５３号公報
【特許文献２】特開２００４−２２１９４５号公報
【特許文献３】特開２００４−２６０５３５号公報
【特許文献４】特開２００３−１８６７６４号公報
【発明の開示】
【発明が解決しようとする課題】
【０００６】
しかしながら、上記した、ＳＩＰ以外の通信手段によって画像データの送信を行うためには、発呼側のユーザが、相手先のＳＩＰ通信装置がＳＩＰ以外の通信手段を有していること及びその通信手段の宛先情報を知っていることが前提となる。したがって、発呼側のユーザがそれらの情報を把握していない場合はＳＩＰ以外の通信手段を利用して画像データを送信することができない。また同様に、上記した、別のＳＩＰ通信装置宛に画像データの送信を行うことも、発呼側のユーザが、相手先のＳＩＰ通信装置のユーザが複数のＳＩＰ通信装置を所有していること及び他のＳＩＰ通信装置の宛先情報を知っていることが前提となり、それらの情報を把握していない場合は相手先が所有する別のＳＩＰ通信装置に対しても画像データを送信することができない。
【０００７】
従来より被呼側ＳＩＰ通信装置側において、受信拒否や代替受信を発呼側に通知することは可能であったが、ネットワーク単位での代替受信の運用管理を可能としたものは未だ提案されていない。また、被呼側ＳＩＰ通信装置が故障などで応答さえ返せない状態にある場合は、従来の代替受信通知機能を使用することができないという問題がある。
【０００８】
本発明は、かかる事情に鑑みてなされたものであり、ＳＩＰプロキシサーバが管轄するネットワークエリア内のＳＩＰ通信装置宛のＳＩＰリクエストをネットワークエリア外から受信し、前記ＳＩＰ通信装置がＳＩＰによるデータ通信を確立できない事情がある場合に、別のＳＩＰ通信装置の宛先情報や他の通信手段の宛先情報を発呼側へ自動的に通知するＳＩＰプロキシサーバを提供することを目的とする。
【課題を解決するための手段】
【０００９】
請求項１記載のＳＩＰプロキシサーバは、管轄するネットワークエリア内のＳＩＰ通信装置が新たなＳＩＰ通信を確立できる状態にあるか否かを判定する判定手段と、前記ネットワークエリア内のＳＩＰ通信装置に関連付けて代替宛先情報を記憶する記憶手段と、前記ネットワークエリア外から前記ＳＩＰ通信装置宛の通信開始要求を受信し、前記判定手段が当該ＳＩＰ通信装置が新たなＳＩＰ通信を確立できない状態にあると判定した場合に、当該ＳＩＰ通信装置に関連付けられた代替宛先情報をＳＩＰメッセージに記述して発呼側へ返信する手段と、を備えることを特徴としている。
【００１０】
請求項２記載のＳＩＰプロキシサーバは、請求項１記載のＳＩＰプロキシサーバにおいて、前記判定手段は、前記ネットワークエリア外のＳＩＰ通信装置と前記ネットワークエリア内のＳＩＰ通信装置との間で確立されている通信数を監視し、前記通信数が所定値以上の場合に、前記ネットワークエリア内の当該ＳＩＰ通信装置が新たなＳＩＰ通信を確立できない状態にあると判定し、前記通信数が所定値未満の場合に、前記ネットワークエリア内の当該ＳＩＰ通信装置が新たなＳＩＰ通信を確立できない状態にあると判定するものであることを特徴としている。
【００１１】
請求項３記載のＳＩＰプロキシサーバは、請求項１又は２記載のＳＩＰプロキシサーバにおいて、前記記憶手段が記憶する代替宛先情報は、代替通信手段を示す情報と該手段による送信宛先情報からなり、前記通信手段は、当該代替宛先情報が関連付けられているＳＩＰ通信装置が備えるＳＩＰ以外の通信手段であることを特徴としている。
【００１２】
請求項４記載のＳＩＰプロキシサーバは、請求項３記載のＳＩＰプロキシサーバにおいて、前記代替通信手段は、公衆交換電話網を通じて行うファクシミリ通信であることを特徴としている。
【発明の効果】
【００１３】
請求項１記載のＳＩＰプロキシサーバは、管轄するネットワークエリア内のＳＩＰ通信装置が新たなＳＩＰ通信を確立できない状態にある場合、当該ＳＩＰ通信装置に関連つけて登録された代替宛先情報を発呼側へ自動的に通知する。したがって、発呼側装置がＳＩＰメッセージに記述された代替宛先情報に従ってデータ送信する機能を実装しているものであれば、即座に送信先を被呼側ユーザが希望する宛先へ振り返えて送信することが可能となる。また、本発明に係るＳＩＰプロキシサーバにて代替受信についての運用ルールを決めることにより、ネットワーク単位の一元管理が可能となり、ネットワークエリア内のＳＩＰ通信装置の増減があったときの保守作業が容易になるという利点もある。
【００１４】
請求項２記載のＳＩＰプロキシサーバによれば、ネットワークエリア内のＳＩＰ通信装置がＳＩＰ通信を複数確立できるものである場合に、適切な通信数の範囲内にある場合に限りＳＩＰメッセージ等の転送を行うことができる。また、ネットワーク単位での通信数の制限や通信負荷の分散なども容易に行えるという利点もある。
【００１５】
請求項３又は４記載のＳＩＰプロキシサーバによれば、ネットワークエリア内のＳＩＰ通信装置がＳＩＰ通信を確立できない状態にあっても、ＳＩＰ通信以外の通信手段を有するものであれば、当該ＳＩＰ通信以外の通信手段により発呼側からデータを受信することができる。
【発明を実施するための最良の形態】
【００１６】
以下、本発明の実施の形態に係るＳＩＰプロキシサーバについて説明する。図１に本発明の実施の形態に係るＳＩＰプロキシサーバ１が管轄するＬＡＮ２内の構成例を示す。ＬＡＮ２には、ＳＩＰプロキシサーバ１のほかに、複数のＳＩＰ通信装置４が接続されている。ＳＩＰプロキシサーバ１は、ルータ３と直接接続されており、ＬＡＮ２外（インターネット）からルータ３を通じてＬＡＮ２内に入る全てのパケットを監視できるように接続されている。ＬＡＮ２内に接続されているＳＩＰ通信装置４は、何れもＳＩＰによりメディアセッションを確立した上で画像データ等のデータ通信を行うＳＩＰ通信機能のほか、Ｇ３ファクシミリ通信機能、ＳＭＴＰ通信機能等を有する複合機である。
【００１７】
ＳＩＰプロキシサーバ１は、図２に示すように、制御部５、通信部６、テーブル記憶部７、操作部８、表示部９、補助記憶装置１０等を備える。制御部５は、図示しないＣＰＵ（中央処理装置）、ＲＯＭ（リードオンリーメモリー）、ＲＡＭ（ランダムアクセスメモリー）等で構成され、ＲＯＭに格納された制御プログラムに基づいてＣＰＵが発行する命令にしたがって、ＳＩＰプロキシサーバ１を構成する各部の動作を制御する。通信部６は、ＮＩＣ（ネットワークインタフェースカード）を備え、ＬＡＮ２内に接続されたＳＩＰ通信装置４及びルータ３との通信を行う。
【００１８】
テーブル記憶部７は、例えば図３に示すようなテーブルＴを記憶している。テーブルＴは、「装置ドメイン名」欄、「装置アドレス」欄、「最終更新」欄、「状態」欄、「代替宛先情報」欄及び「通信数」欄を有し、ＳＩＰプロキシサーバ１の表示部９に表示させることができるようになっている。また、「装置ドメイン名」欄、「装置アドレス」欄、「代替宛先情報」欄に格納される情報は、操作部８における所定操作により登録することができるようになっている。
【００１９】
「装置ドメイン名」欄には、ＬＡＮ４内の各ＳＩＰ通信装置４のドメイン名が格納されている。「装置アドレス」欄には、ＬＡＮ４内の各ＳＩＰ通信装置４のＩＰアドレスが格納されている。「最終更新」欄には、各レコードの情報が更新された日時を示す情報が格納されている。「状態」欄には、ＬＡＮ４内の各ＳＩＰ通信装置４の稼動状態を示す情報が格納されている。前記稼動状態を示す情報としては、当該ＳＩＰ通信装置４が正常に通信中又は待機中の状態にあることを示す情報「正常」又は当該ＳＩＰ通信装置４がエラーの発生、電源断などにより通信を行うことが出来ない状態にあることを示す情報「異常」が格納される。
【００２０】
「代替宛先情報」欄には、代替通信手段を示す情報と該代替通信手段による送信宛先情報が登録されるようになっており、同一レコードの「装置ドメイン名」欄、「装置アドレス」欄に登録された宛先情報を有するＳＩＰ通信装置４に関連付けられる。図示テーブルＴの「代替宛先情報」欄では、ＳＩＰ以外の代替通信手段を示す情報と該代替通信手段による送信宛先情報が格納されている。前記ＳＩＰ以外の代替通信手段を示す情報としては、ＳＭＴＰによる電子メールを示す情報（例えば図示「ｍａｉｌｔｏ：」）、公衆交換電話網を通じて行うＧ３方式等のファクシミリ通信を示す情報が格納されている。本実施の形態のように、ＳＩＰサーバ１が管轄するＬＡＮ２内に複数のＳＩＰ通信装置が接続されている場合には、ＳＩＰによる通信（以下「ＳＩＰ通信」ともいう。）を示す情報（例えば「ｓｉｐ：」）と他のＳＩＰ通信装置４の宛先情報（ＩＰ電話番号、ＩＰアドレス等）とを代替宛先情報として登録することもできるようになっている。
【００２１】
「通信数」欄には、ＬＡＮ２外のＳＩＰ通信装置３０とＬＡＮ２内のＳＩＰ通信装置４との間で確立されている通信数が格納される。ＳＩＰプロキシサーバ１は、ＬＡＮ２内外のＳＩＰ通信装置間でのセッションの確立及び切断を監視しており、確立又は切断がされる毎にＬＡＮ２内の当該ＳＩＰ通信装置４に関連付けられた通信数を更新する。
【００２２】
操作部８は、キーボード、マウス等の入力装置で構成される。表示部９は、例えばＬＣＤ（Ｌｉｑｕｉｄ  Ｃｒｙｓｔａｌ  Ｄｉｓｐｌａｙ）からなり、ＳＩＰプロキシサーバ１が保有する情報、例えば前記テーブル記憶部７に格納されたテーブルＴ、機器設定情報等を表示する。補助記憶装置１０は、ハードディスク装置などで構成され、これに各種の情報が記憶される。
【００２３】
ＬＡＮ２内のＳＩＰ通信装置４は、ＳＩＰによる通信を確立することができない事情が発生した場合に、その旨をＬＡＮ２を通じてＳＩＰプロキシサーバ１へ通知する機能を有する。前記事情が発生した場合とは、例えばＳＩＰ通信に関する通信エラーが発生した場合、大量の印刷ジョブが生じたことにより印刷画像を処理するためにメモリの大半の領域を予約確保し、これによりＳＩＰによる通信を確立しても画像データを受信することが困難な場合、画像データ印字するための記録用紙切れや記録用紙のジャムの発生した場合等である。ＳＩＰ通信装置４は、前記事情が解消した場合もその旨をＳＩＰプロキシサーバ１へ通知する。なお、ＳＩＰによる通信を確立することができない事情は、これらに限定されず、種々の事情をＳＩＰプロキシサーバ１への前記通知の対象とすることができる。また、ＬＡＮ２を通じて行う通知に際して使用する通信プロトコルはＳＩＰに限定されない。ＳＩＰプロキシサーバ１は、上記のようにしてＬＡＮ２内のＳＩＰ通信装置４からＳＩＰによる通信を行うことができない旨の通知を受けると、テーブルＴの「状態」欄に「切断」を登録し、その後、前記事情が解消した旨の通知をＳＩＰ通信装置４から受けたときに、「状態」欄の「切断」を「正常」に変更登録する。
【００２４】
つぎに、ＳＩＰ通信装置４の構成例を図４に示す。ＳＩＰ通信装置４は、ＣＰＵ（中央処理装置）２１、ＲＯＭ（リードオンリーメモリー）２２、ＲＡＭ（ランダムアクセスメモリー）２３、画像メモリ２４、モデム２５、ＮＣＵ２６、コーデック２７、読取部２８、記録部２９、表示部３０、操作部３１、ＬＡＮインタフェース３２を備え、各部２１乃至３２はバス３３によって接続されている。なお、ＳＩＰによりメディアセッションを確立して画像データを送受信するために必要なプロトコル、例えばＲＴＰ（Real-time  Transport  Protocol）、ＳＤＰ（Session  Description  Protocol）なども実装している。
【００２５】
ＣＰＵ２１は、ＲＯＭ２２に格納された制御プログラムに従って、このＳＩＰ通信装置４を構成する各部を制御する制御手段として機能する。ＲＡＭ２３は、ＣＰＵ２１の主メモリ、ワークエリア等として機能する。
【００２６】
画像メモリ２４は、コーデック２７によって圧縮符号化された受信画像データ等を格納する。画像メモリ２４の所定割合以上が大量の印刷ジョブが生じたことにより予約確保された場合、ＣＰＵ２は、ＳＩＰによる通信を確立することができない事情が発生したものとみなして、その旨をＳＩＰプロキシサーバ１へ通知する。
【００２７】
モデム２５は、例えばＩＴＵ−Ｔ（国際電気通信連合）の勧告Ｖ．３４規格又はこれと同様のものに従った送受信データの変調及び復調を行う。ＮＣＵ２６は、ＰＳＴＮ（公衆交換電話網）３４との回線の閉結及び開放の動作を行う回線網制御装置であり、Ｇ３ファクシミリ通信時にモデム２６をＰＳＴＮ３４と接続する。コーデック２７は、ファクシミリ送信等に際して、画像データを所定方式に従って圧縮符号化し、また、受信画像データ等を所定方式に従って復号する。読取部２８は、原稿の画像データを読取るものであり、例えば、ＣＣＤカラーラインセンサ、Ａ／Ｄコンバータ、画像処理回路等で構成される。
【００２８】
記録部２９は、受信画像データ、読取画像データ等を記録紙上に記録する。記録部２９には、記録紙のジャムを検出するジャム検出部２９ａが設けられており、ジャム検出部２９ａは、ジャムを検出すると、その旨をＣＰＵ２に通知する。また、給紙カセット、手差しトレイ等における記録紙の有無を検出する記録紙有無検出部１０ｂが設けられている。記録紙有無検出部１０ｂは、記録紙の有無をＣＰＵ２に通知する。なお、ＣＰＵ２は、記録紙切れ、記録紙のジャムを検出すると、ＳＩＰによる通信を確立することができない事情が発生したものとみなして、その旨をＳＩＰプロキシサーバ１へ通知する。
【００２９】
表示部３０は、例えば操作部３１に並設されたＬＣＤ（Ｌｉｑｕｉｄ  Ｃｒｙｓｔａｌ  Ｄｉｓｐｌａｙ）からなり、各種の画面情報を表示する。操作部３１は、スタートキー、文字入力キー、ファンクションキーなど各種の操作キーを具備し、オペレータによる各種の操作は、この操作部３１において行われる。ＬＡＮインタフェース３２は、ＳＩＰ通信装置４とＬＡＮ２とを接続するインターフェースであり、これを通じてＳＩＰ通信装置４は、同じくＬＡＮ２に接続されたＳＩＰプロキシサーバ１と通信を行う。
【００３０】
つぎに、ＳＩＰプロキシサーバ１がＬＡＮ２外からＬＡＮ２内のＳＩＰ通信装置４宛の通信開始要求メッセージ、例えば「ＩＮＶＩＴＥ」メッセージを受信したときに実行する処理動作について図５のフローチャート並びに図６及び図７のシーケンス図に基づいて説明する。なお、発呼側となるＳＩＰ通信装置３０は、被呼側となるＬＡＮ２に接続されたＳＩＰ通信装置４と同様にＳＩＰ通信以外の通信手段を備えるものであることを前提として説明する。
【００３１】
ＳＩＰプロキシサーバ１は、ＬＡＮ２外からＬＡＮ２内のＳＩＰ通信装置４宛ての「ＩＮＶＩＴＥ」メッセージを受信すると（Ｓ１：ＹＥＳ）、「ＩＮＶＩＴＥ」メッセージ内に記述されている宛先情報（ドメイン名、ＩＰアドレスなど）からＬＡＮ２内の宛先となっているＳＩＰ通信装置４を特定する。そして、特定したＳＩＰ通信装置４が新たなＳＩＰ通信を確立できる状態にあるか否かを判定する。具体的には、ＳＩＰプロキシサーバ１は、テーブルＴにおいて、特定したＳＩＰ通信装置４のドメイン名、ＩＰアドレス等に関連付けられている「状態」欄に「正常」が格納されており（Ｓ２：ＹＥＳ）、当該ＳＩＰ通信装置４がＳＩＰ通信を行っていない場合は（Ｓ３：ＮＯ）、当該ＳＩＰ通信装置４が新たなＳＩＰ通信を確立できる状態にあると判定する。また、ＳＩＰプロキシサーバ１は、テーブルＴにおいて、特定したＳＩＰ通信装置４のドメイン名、ＩＰアドレス等に関連付けられている「状態」欄に「正常」が格納されており（Ｓ２：ＹＥＳ）、当該ＳＩＰ通信装置４がＳＩＰによる通信を行っている場合であっても（Ｓ３：ＹＥＳ）、当該ＳＩＰ通信装置４のドメイン名、ＩＰアドレス等に関連付けられている「通信数」欄に格納されている通信数が所定値未満であれば（Ｓ４：ＹＥＳ）、当該ＳＩＰ通信装置４が新たなＳＩＰ通信を確立できる状態にあると判定する。
【００３２】
一方、Ｓ２において「状態」欄に「異常」が格納されている場合（Ｓ２：ＮＯ）、及び、Ｓ３において当該ＳＩＰ通信装置４がＳＩＰ通信を行っている場合であって（Ｓ３：ＹＥＳ）、Ｓ４において「通信数」欄に格納されている通信数が所定値以上である場合（Ｓ４：ＮＯ）は、当該ＳＩＰ通信装置４が新たなＳＩＰ通信を確立できない状態にあると判定する。
【００３３】
ＳＩＰ通信装置４が新たなＳＩＰ通信を確立できる状態にあると判定した場合は（Ｓ３：ＮＯ又はＳ４：ＹＥＳ）、宛先ＳＩＰ通信装置４へ送信開始要求である「ＩＮＶＩＴＥ」メッセージを転送する（Ｓ５、Ｔ１）。
【００３４】
「ＩＮＶＩＴＥ」メッセージの転送後は、図６に示すように、ＳＩＰプロキシサーバ１は、宛先ＳＩＰ通信装置４から返信される応答メッセージ「２００  ＯＫ」を受信して発呼側ＳＩＰ通信装置３０へ転送し（Ｔ２）、その後、発呼側ＳＩＰ通信装置３０から送出された「ＡＣＫ」を受信して宛先ＳＩＰ通信装置４へ転送する（Ｔ３）。そして、メディアセッションが発呼側ＳＩＰ通信装置３０と被呼側ＳＩＰ通信装置４との間で確立され、メディアセッション上で、画像データ等のデータ通信が行われる（Ｓ６）。ＳＩＰプロキシサーバ１は、両ＳＩＰ通信装置４、３０間で通信が開始された場合、テーブルＴにおいて当該ＳＩＰ通信装置４に関連つけられている通信数を１増加したものに更新する（Ｓ７）。その後、発呼側ＳＩＰ通信装置３０と被呼側ＳＩＰ通信装置４との間でＳＩＰプロキシサーバ１を介して授受されると（Ｔ４、Ｔ５）、メディアセッションが切断され、上記通信が終了したものと判断される（Ｓ８：ＹＥＳ）。通信終了と判断した後は、テーブルＴにおいて当該ＳＩＰ通信装置４に関連付けられている通信数を１減少させたものに更新する（Ｓ９）。
【００３５】
一方、ＳＩＰプロキシサーバ１が、ＳＩＰ通信装置４が新たなＳＩＰ通信を確立できない状態にあると判定した場合（Ｓ２：ＮＯ又はＳ４：ＮＯ）、宛先ＳＩＰ通信装置４へ送信開始要求である「ＩＮＶＩＴＥ」メッセージを転送せず、宛先ＳＩＰ通信装置４に関連付けられた代替宛先情報、つまり、テーブルＴにおいて宛先ＳＩＰ通信装置のドメイン名、ＩＰアドレスに関連付けて「代替宛先情報」欄に格納されている代替宛先情報を記述したＳＩＰのリダイレクトメッセージを生成する。そして、生成したリダイレクトメッセージを発呼側ＳＩＰ通信装置へ返信する（Ｓ１０、Ｔ１２）。ここで、生成されるリダイレクトメッセージは、例えば図７に示すようなものである。すなわち、ＳＩＰのリダイレクトメッセージＭ（「３０２  Ｍｏｖｅｄ  Ｔｅｍｐｒａｒｉｌｙ」）の「Ｃｏｎｔａｃｔ：」ヘッダ領域Ｍ１に代替宛先情報が記述される。図示する例の代替宛先情報は、代替通信手段として電子メールを指定する情報「ｍａｉｌｔｏ：」と公衆交換電話網を通じて行うファクシミリ通信を指定する情報「ｆａｘ：」が記述されており、さらに、各代替通信手段による送信宛先情報としてメールアドレス、ファクシミリ番号が記述されている。テーブルＴの「代替宛先情報」に代替通信手段としてＳＩＰ通信を指定する「ＳＩＰ：」及び宛先情報（ＵＲＩ、ＩＰ電話番号等）が格納されていた場合は、それらが代替宛先情報として「Ｃｏｎｔａｃｔ：」ヘッダに記述される。
【００３６】
前記Ｔ１２の後、発呼側ＳＩＰ通信装置３０は、ＳＩＰプロキシサーバ１へ「ＩＮＶＥＴＥ」に対する最終レスポンスの確認メッセージ「ＡＣＫ」を送信する。発呼側ＳＩＰ通信装置３０は、受信したリダイレクトメッセージに記述されている代替宛先情報に従って、代替通信手段を決定し、決定した代替通信手段によって、同じリダイレクトメッセージに記述されている宛先情報宛に対して、画像データを送信する。なお、発呼側ＳＩＰ通信装置３０は、画像データのフォーマット変換手段を備えており、通信手段の変更が生じたことにより、当初送信予定であった画像データのフォーマットを変換する必要がある場合は、画像データをフォーマット変換した後に代替通信手段によって送信する（Ｔ１４）。
【００３７】
以上説明した本発明の実施の形態においては、代替宛先情報として公衆交換電話網を通じて行うファクシミリ通信手段、ＳＭＴＰによるメール送信手段、ＳＩＰによるデータ通信手段に係るものを例に挙げて説明したが、代替宛先情報はこれら通信手段に係るものに限定されず、これら以外の通信手段に係る代替宛先情報を採用し、当該通信手段により上記した代替通信が実行されるようにしてもよい。
【００３８】
また、本発明の実施の形態においては、ＳＩＰプロキシサーバ１が管轄するネットワークエリアとして１つのＬＡＮ２を例に挙げて説明したが、ＳＩＰプロキシサーバ１がＳＩＰメッセージの転送等を管轄するネットワークのエリア内であれば、ネットワークの形態はこれに限定されない。例えばＳＩＰプロキシサーバが複数のＬＡＮを管轄するものであれば、ＳＩＰプロキシサーバ１が管轄するネットワークエリアは、当該複数のＬＡＮとなる。
【００３９】
以上の説明から明らかなように、本発明の実施の形態に係るＳＩＰプロキシサーバ１によれば、ＬＡＮ２に複数のＳＩＰ通信装置４が接続されている場合は、テーブルＴの「代替宛先情報」欄に同じＬＡＮ２に接続されている他のＳＩＰ通信装置４の宛先情報を登録しておくことにより、何れかのＳＩＰ通信装置４が通信中でデータを受信できない場合に、他のＳＩＰ通信装置４に代替受信させることができる。また、ＳＩＰ通信装置４がＳＩＰ通信以外に通信手段を有する場合には、当該ＳＩＰ以外の通信手段によりデータを代替して受信させることもできる。故に、ＳＩＰ通信装置４のユーザ等が予め代替宛先情報を登録しておくことにより、被呼側ＳＩＰ通信装置４においてＳＩＰ通信を確立できない何らかの事情がある場合でも、自動的に登録された宛先へ画像データが転送されるので、発呼側にとっては再送信の負担が無くなり、被呼側にとっても、迅速に画像データの取得が可能となる。この結果、発呼側及び被呼側の双方において通信効率の向上が図られる。また、ＳＩＰプロキシサーバ１にて前述したテーブルＴ等の運用ルールを決めることにより、ネットワーク単位で通信について一元管理ができ、ＳＩＰ通信装置４の増減時などの保守作業も容易になる。また、ネットワーク単位での通信数の制限や負荷の分散なども行うことができるようになる。
【産業上の利用可能性】
【００４０】
本発明は、例えば、ＬＡＮに接続されたＳＩＰ通信装置のＳＩＰプロキシサーバに適用することができる。
【図面の簡単な説明】
【００４１】
【図１】本発明の実施の形態に係るＳＩＰプロキシサーバが設置されるＬＡＮ（ネットワークエリア）等を示した図である。
【図２】本発明の実施の形態に係るＳＩＰプロキシサーバの構成例を示した図である。
【図３】本発明の実施の形態に係るテーブルの一例を示した図である。
【図４】ＳＩＰ通信装置の構成例を示した図である。
【図５】ＳＩＰプロキシサーバが、ＬＡＮ外のＳＩＰ通信装置からＬＡＮ内のＳＩＰ通信装置宛の通信開始要求を受信した場合に、実行する処理動作を示したフローチャートである。
【図６】ＬＡＮ外のＳＩＰ通信装置からＬＡＮ内のＳＩＰ通信装置に対してＳＩＰの通信開始要求が送信され、ＬＡＮ内のＳＩＰ通信装置がＳＩＰ通信を確立できる状態にある場合に形成される通信手順を示したシーケンス図である。
【図７】ＬＡＮ外のＳＩＰ通信装置からＬＡＮ内のＳＩＰ通信装置に対してＳＩＰの通信開始要求が送信され、ＬＡＮ内のＳＩＰ通信装置がＳＩＰ通信を確立できない状態にある場合に形成される通信手順を示したシーケンス図である。
【符号の説明】
【００４２】
Ｔ    テーブル
Ｍ１    代替宛先情報
１    ＳＩＰプロキシサーバ
２    ＬＡＮ（ネットワークエリア）
４    ＬＡＮ内のＳＩＰ通信装置
５    制御部
７    テーブル記憶部
３０    ＬＡＮ外のＳＩＰ通信装置
【図１】
2006287798.tif 000003
【図２】
2006287798.tif 000004
【図３】
2006287798.tif 000005
【図４】
2006287798.tif 000006
【図５】
2006287798.tif 000007
【図６】
2006287798.tif 000008
【図７】
2006287798.tif 000009